(57)【要約】      （修正有）【課題】外観面が高温にならず、かつ、汎用の保冷剤により効率よく冷却できる撮像装置を提供する。【解決手段】撮像装置は、撮像素子７０１と、吸気口１１５から吸気した空気を排気口から排気する流路の一部を形成する外観面に略平行な第１の流路５６０を有して外観面の一部を形成するダクトと、流路は、第１の流路５６０の排気口の側に配置される第２の流路５７０と第２の流路５７０の排気口側に配置される第３の流路５８０と、を有する。第２の流路５７０には、ヒートシンク５０７のフィン形状部が設けられ、フィン形状部を流れる空気が撮像素子７０１に沿う方向に流れるように構成されている。【選択図】図８
2019103032.tif 000002
【特許請求の範囲】
【請求項１】
撮像素子と、
吸気口から吸気した空気を排気口から排気する流路の一部を形成する外観面に略平行な第１の流路を有して前記外観面の一部を形成するダクトと、を備え、
前記流路は、前記第１の流路の前記排気口の側に配置される第２の流路と前記第２の流路の前記排気口の側に配置される第３の流路と、を有し、前記第２の流路には、ヒートシンクのフィン形状部が設けられ、前記フィン形状部を流れる空気が前記撮像素子に沿う方向に流れるように構成されていることを特徴とする撮像装置。
【請求項２】
前記ダクトの前記外観面は、撮影環境の温度より温度が低い保冷剤の接触が可能であることを特徴とする請求項１に記載の撮像装置。
【請求項３】
前記ダクトの前記外観面には、複数のねじ挿通穴が設けられ、前記外観面の内部側には、前記ねじ挿通穴に挿通されるねじ部材のねじ溝を形成するためのリブ形状部が設けられていることを特徴とする請求項１又は２に記載の撮像装置。
【請求項４】
前記リブ形状部がフィン形状に形成されていることを特徴とする請求項３に記載の撮像装置。
【請求項５】
前記ヒートシンクの前記フィン形状部より前記第１の流路の側の前記第２の流路に第２の吸気口を形成し、前記第２の吸気口を開閉可能に覆う蓋部材を有することを特徴とする請求項１乃至４のいずれか一項に記載の撮像装置。
【請求項６】
前記第３の流路を流れる空気は、前記撮像素子より発熱量が高い回路基板に沿う方向に流れることを特徴とする請求項１乃至４のいずれか一項に記載の撮像装置。
【請求項７】
前記第１の流路と前記第３の流路は、略平行に配置され、前記第２の流路は、前記第１の流路に対して略直交する方向に配置されて前記第１の流路と前記第３の流路とを接続することを特徴とする請求項１乃至６のいずれか一項に記載の撮像装置。
【発明の詳細な説明】
【技術分野】
【０００１】
本発明は、例えばビデオカメラ等の撮像装置の冷却構造に関する。
【背景技術】
【０００２】
ビデオカメラ等の撮像装置では、高温環境下でも撮影可能であることが求められることから、高温環境下で撮影を行うときには、撮像装置に保冷剤を接触させることにより、撮像装置を冷却し撮影を行っている。
【０００３】
従来、保冷剤を使用した効率の良い電子機器の冷却構造が提案されている。例えば、保冷剤の効果を有する蓄冷材が収納された蓄冷材パックと、蓄冷材パックを格納できる格納部を備え、冷却対象の電子部品と格納部を熱電導部材により熱的に接続することにより、電子部品を冷却する技術が提案されている（特許文献１）。
【先行技術文献】
【特許文献】
【０００４】
【特許文献１】特開２００７−１８３７４６号公報
【発明の概要】
【発明が解決しようとする課題】
【０００５】
しかし、上記特許文献１では、保冷剤の格納部を有しているために保冷剤の形状が限定されてしまう。従来、ビデオカメラの撮影現場では、汎用の保冷剤により冷却を行っているため、保冷剤の形状が限定されてしまうと、汎用の保冷剤が使用できなくなってしまう不具合が生じる。ここで、汎用の保冷剤が使用でき、効率の良い冷却構造として、例えば、保冷剤と撮像装置が接触する箇所を外観面にし、外観面と冷却対象の電子部品を熱電導部材より熱的に接続する構造が考えられる。しかし、このような構造では、外観面が高温になるため、撮影者が外観面の高温部に触れてしまう可能性がある。
【０００６】
そこで、本発明は、汎用の保冷剤で撮像装置を効率良く冷却することにより高温環境下でも撮影をすることができ、かつ外観面を高温にし難い撮像装置を提供することを目的とする。
【課題を解決するための手段】
【０００７】
上記目的を達成するために、本発明は、撮像素子と、吸気口から吸気した空気を排気口から排気する流路の一部を形成する外観面に略平行な第１の流路を有して前記外観面の一部を形成するダクトと、を備え、前記流路は、前記第１の流路の前記排気口の側に配置される第２の流路と前記第２の流路の前記排気口の側に配置される第３の流路と、を有し、前記第２の流路には、ヒートシンクのフィン形状部が設けられ、前記フィン形状部を流れる空気が前記撮像素子に沿う方向に流れるように構成されていることを特徴とする。
【発明の効果】
【０００８】
本発明によれば、汎用の保冷剤で撮像装置を効率良く冷却することにより高温環境下でも撮影をすることができ、かつ外観面を高温にし難い撮像装置を提供することができる。
【図面の簡単な説明】
【０００９】
【図１】本発明の実施形態の一例に係るデジタルビデオカメラの外観斜視図である。
【図２】メイン基板の斜視図である。
【図３】撮像素子ユニットの斜視図である。
【図４】冷却ユニットの斜視図である。
【図５】冷却ユニットの流路ごとの分解斜視図である。
【図６】冷却ユニットの分解斜視図である。
【図７】冷却ユニットに撮像素子ユニットとメイン基板を取り付けた状態を示す斜視図である。
【図８】（ａ）は冷却ユニットに撮像素子ユニットとメイン基板を取り付けた状態を示す図、（ｂ）は（ａ）のＥ−Ｅ線断面図である。
【図９】デジタルビデオカメラの上面外装部材に保冷剤をのせた状態を示す斜視図である。
【図１０】デジタルビデオカメラの上面外装部材周辺の分解斜視図である。
【図１１】上面外装部材の斜視図である。
【図１２】デジタルビデオカメラの斜視図である。
【発明を実施するための形態】
【００１０】
以下、図面を参照して、本発明の実施形態の一例を説明する。
【００１１】
図１（ａ）は本発明の実施形態の一例に係るデジタルビデオカメラを上側前方から見た外観斜視図、図１（ｂ）は図１（ａ）に示すデジタルビデオカメラを上側後方から見た外観斜視図である。なお、本実施形態では、撮像装置の一例としてレンズ交換式のデジタルビデオカメラ（以下、カメラという。）を例示するが、これに限定されない。また、本実施形態の説明において、カメラの光軸方向で被写体側を前方、撮影者側を後方とし、被写体側からカメラを見て右方向を右側、左方向を左側とし、更に、カメラの鉛直上向きを上側、鉛直下向きを下側とする。
【００１２】
図１に示すように、本実施形態のカメラ１は、交換レンズ２を着脱できるレンズマウント部１０１を有する。図３を用いて後述するが、レンズマウント部１０１の後方の本体内部には被写体より入射した光を受光する撮像素子７０１が設けられている。
【００１３】
カメラ１の右側面には、電源スイッチ１０３、表示パネル１０４、ＩＳＯ感度設定ダイヤル１０８、Ｆ値設定ダイヤル１０９、メニューボタン１１０、十字キー１１１、及びＲＥＣボタン１０６等が設けられている。カメラ１の後方面には、映像及び音声出力端子１０５ａ〜１０５ｇ、バッテリ３、電源端子１１３、及び排気口１１６等が設けられている。また、カメラ１の左側面には、記録メディアカードが挿入される記録カードスロット部１０７ａ，１０７ｂが設けられている。
【００１４】
カメラ１の上側面には、アクセサリを取り付けるための多数のネジ穴が形成された上面外装部材５０１が設置されている。また、カメラ１の上側面の後方には、上面外装部材５０１と後方外装部材１１４により形成された第１の吸気口１１５が設けられている。第１の吸気口１１５により吸気を行い、後方外装部材１１４の下側に形成された排気口１１６より排気を行うことにより強制空冷を行っている。強制空冷の構成に関しての詳細は後述する。
【００１５】
カメラ１を駆動するための電力は、後方に設置されたバッテリ３よりカメラ１に給電される。また、電源端子１１３に不図示の外部電源を入力することで電源端子１１３からも電力を得ることができる。
【００１６】
図２は、カメラ１の内部にあるメイン基板（回路基板）４００の斜視図である。図２（ａ）はメイン基板４００を上側から見た斜視図、図２（ｂ）はメイン基板４００を下側から見た斜視図である。メイン基板４００では、カメラ１を操作した際の入力信号等の制御や、撮像素子７０１で得られた映像信号の処理及び圧縮を行う。これらの処理を行うメイン基板４００は、カメラ１において大きな熱源の一つとなっている。
【００１７】
具体的には、図２（ｂ）に示すように、メイン基板４００の下側の面に実装された制御素子４０１ａ〜４０１ｉがメイン基板４００の中でも特に発熱量が多い素子である。そのため、制御素子４０１ａ〜４０１ｉは放熱が必要な素子である。
【００１８】
図３（ａ）はカメラ１の撮像素子ユニット７００を前方から見た斜視図、図３（ｂ）は撮像素子ユニット７００を後方から見た斜視図である。図３に示すように、カメラ１には、交換レンズ２を透過して結像した被写体像を電気信号に変換するための撮像素子７０１が設けられている。撮像素子７０１は、カメラ１において大きな熱源であり、放熱が必要な素子である。また、光電変換する際に撮像素子７０１の温度が高い程、ノイズが発生し易くなってしまう。それに加え、動作保証温度は一般的にメイン基板４００上の制御素子４０１ａ〜４０１ｉよりも撮像素子７０１の方が低い。このため、撮像素子７０１は、メイン基板４００の制御素子４０１ａ〜４０１ｉよりも更に放熱が必要な素子である。
【００１９】
撮像素子７０１の放熱のためには、撮像素子７０１の裏側に後述する放熱ゴム５０８（図４参照）を接触させる必要がある。そのため、撮像素子７０１を固定するための固定板金７０２の一部を略矩形に切り欠いて、孔形状部７０３を設けている。孔形状部７０３に放熱ゴム５０８を通すことにより、撮像素子７０１に放熱ゴム５０８を接触させることができ、撮像素子７０１を放熱することができる構成となっている。
【００２０】
前述した通り、カメラ１では、メイン基板４００に実装された制御素子４０１ａ〜ｉと撮像素子７０１が主要な熱源である。これらは熱源であると共に放熱が必要な部品であり、その放熱構造に関して詳細に説明する。
【００２１】
図４（ａ）はカメラ１の冷却ユニット５００を前方から見た斜視図、図４（ｂ）は冷却ユニット５００を上側後方から見た斜視図、図４（ｃ）は冷却ユニット５００を下側後方より見た斜視図である。図５（ａ）はカメラ１の冷却ユニット５００を上側前方から見た流路ごとの分解斜視図、図５（ｂ）は冷却ユニット５００を下側前方から見た流路ごとの分解斜視図である。
【００２２】
図４及び図５で示す通り、冷却ユニット５００は、第１の流路５６０、第２の流路５７０、第３の流路５８０とファンユニット５９０ａ，５９０ｂを有し、冷却ユニット５００の内部に空気が流れるための空間を設けて構成される。冷却ユニット５００は、第１の流路５６０と第３の流路５８０が略平行に配置され、第２の流路５７０が第１の流路５６０に対して略直交する方向に配置されて第１の流路５６０と第３の流路５８０とが接続されて略コ字形状をなしている。空気を流す流路は次の通りである。
【００２３】
まず、冷却ユニット５００の上側後方にある第１の吸気口１１５より吸気を行い、その空気を第１の流路５６０により上面外装部材５０１の外観面に沿う方向、つまり流路方向Ａに向かって送風する。
【００２４】
その後、第１の流路５６０を流れた空気は略直角に曲がり、上面外装部材５０１の固定部開口５０３を通り、第２の流路５７０を流れる。第２の流路５７０では、上側から下側で撮像素子７０１に沿う方向、つまり流路方向Ｂに向かって送風する。第２の流路５７０を流れた空気は、下側ダクト部材５１１の開口部５０９を通り、略直角に曲げられ第３の流路５８０を流れる。
【００２５】
第３の流路５８０では、後方、つまり流路方向Ｃに向かって送風する。第３の流路５８０を流れた空気は略直角に曲げられ、ファンユニット開口５１３ａ，５１３ｂを流れる。ファンユニット開口５１３ａ，５１３ｂを通過した空気はファンユニット５９０ａ，５９０ｂにより略直角に曲げられ、流路方向Ｄａ，Ｄｂに向かって排気される構成となっている。
【００２６】
次に、冷却ユニット５００の第１の流路５６０、第２の流路５７０、第３の流路５８０及びファンユニット５９０ａ，５９０ｂについて詳細に説明する。
【００２７】
図６（ａ）は冷却ユニット５００を上側前方から見た分解斜視図、図６（ｂ）は冷却ユニット５００を上側後方から見た分解斜視図、図６（ｃ）は冷却ユニット５００を下側後方から見た分解斜視図である。
【００２８】
図７（ａ）は冷却ユニット５００に撮像素子ユニット７００とメイン基板４００を取り付けた状態を上側前方から見た斜視図、図７（ｂ）は冷却ユニット５００に撮像素子ユニット７００とメイン基板４００を取り付けた状態を上側後方から見た斜視図である。図７（ｃ）は、冷却ユニット５００に撮像素子ユニット７００とメイン基板４００を取り付けた状態を下側後方から見た斜視図である。
【００２９】
図８（ａ）は冷却ユニット５００に撮像素子ユニット７００とメイン基板４００を取り付けた状態を示す図、図８（ｂ）は図８（ａ）のＥ−Ｅ線断面図である。
【００３０】
図６乃至図８に示すように、第１の流路５６０は、上面外装部材５０１と上面外装部材５０１を固定する固定部５０２を有する。第１の流路５６０は、後方にある第１の吸気口１１５より吸気された空気を流路方向Ａに流すための流路である。第１の流路５６０の詳細に関しては後述する。
【００３１】
第１の流路５６０を通過した空気は、前述した通り上面外装部材５０１の固定部開口５０３を通り第２の流路５７０を通過する。第２の流路５７０は、流路方向Ｂに空気を流す流路であるとともに、撮像素子７０１を冷却するための流路である。そのため、第２の流路５７０は、上側ダクト部材５０５、上側ダクト部材５０５のフタ部５０６及び撮像素子ヒートシンク５０７により構成されている。
【００３２】
前述した通り、撮像素子７０１は冷却が必要な素子であり、冷却のために、第１の流路５６０を通過し冷えている状態の空気を第２の流路５７０にある撮像素子ヒートシンク５０７のフィン形状部の箇所に通す構成となっている。撮像素子ヒートシンク５０７は、熱伝導性を有する放熱ゴム５０８と接しており、放熱ゴム５０８は、撮像素子７０１と接している。これにより、撮像素子７０１の熱を第２の流路５７０を通過する空気に伝えることができ、撮像素子７０１を冷却することができる。
【００３３】
また、撮像素子ヒートシンク５０７は、熱伝導性が高い材質で成形されていることが望ましく、本実施形態では、アルミニウム合金等により形成されている。また、前述した通り、撮像素子７０１は、メイン基板４００に実装された制御素子４０１ａ〜４０１ｉよりも冷却が必要な素子である。そのため、カメラ１では、制御素子４０１ａ〜４０１ｉの熱が伝わる前の空気により、撮像素子７０１を冷却する構成となっている。
【００３４】
第２の流路５７０を通過した空気は、前述した通り下側ダクト部材５１１の開口部５０９を通り第３の流路５８０を通過する。第３の流路５８０は、流路方向Ｂに空気を流す流路であるとともに、メイン基板４００に実装された制御素子４０１ａ〜４０１ｉを冷却するための流路である。そのため、第３の流路５８０は、下側ダクト部材５１１、及びメイン基板４００を冷却するヒートシンク５１２により構成されている。前述した通り、制御素子４０１ａ〜４０１ｉは冷却が必要な素子であり、冷却のために、ヒートシンク５１２はフィン形状を有し、フィン形状の箇所に空気を通す構成となっている。
【００３５】
ヒートシンク５１２は、熱伝導性を有する放熱ゴム５１４ａ〜５１４ｉと接しており、放熱ゴム５１４ａ〜５１４ｉは、それぞれ制御素子４０１ａ〜４０１ｉと接している。この構成により、メイン基板４００に実装された制御素子４０１ａ〜４０１ｉを冷却できる構成となっている。
【００３６】
ヒートシンク５１２は、熱伝導性が高い材質で形成されていることが望ましく、本実施形態では、アルミニウム合金等により形成されている。前述した通り、一般的に制御素子４０１ａ〜４０１ｉの動作保証温度は、撮像素子７０１より高い。そのため、第２の流路５７０を通過し撮像素子７０１の熱が伝わった空気でも、制御素子４０１ａ〜４０１ｉを十分に冷却することができる。
【００３７】
第３の流路５８０を通過した空気は、前述した通りファンユニット開口５１３ａ，５１３ｂを通り第３の流路５８０の下側にあるファンユニット５９０ａ，５９０ｂにより送風される。その後、ファンユニット５９０ａ，５９０ｂにより流路方向Ｄａ，Ｄｂに向かって排気口１１６から排気される。なお、本実施形態では、略直角に曲げて後方から排出する為に、ファンユニット５９０ａ，５９０ｂはシロッコファンを使用している。
【００３８】
このように、本実施形態では、冷却ユニット５００により、カメラ１の主要熱源である撮像素子７０１及びメイン基板４００に実装された制御素子４０１ａ〜４０１ｉを冷却できる構成となっている。
【００３９】
ここで、本実施形態では、カメラ１では汎用の保冷剤９００を使用することにより、高温環境下でも撮影を行うことが可能な構成となっているが、その構成を詳細に説明する。
【００４０】
図９は、高温環境下での撮影状態を示すカメラ１の斜視図である。図９（ａ）は汎用の保冷剤９００をカメラ１の上面外装部材５０１にのせた状態を上側前方より見た斜視図、図９（ｂ）は汎用の保冷剤９００をカメラ１の上面外装部材５０１にのせた状態を上側後方より見た斜視図である。図１０は、上側後方から見た上面外装部材５０１周辺のカメラ１の分解斜視図である。図１１（ａ）は上面外装部材５０１を上側前方から見た斜視図、図１１（ｂ）は上面外装部材５０１を下側前方から見た斜視図である。
【００４１】
図９では、高温環境下で撮影する為に、カメラ１の上に略直方体の保冷剤９００をのせて撮影を行っている。図１及び図９で示す通り、上面外装部材５０１は、比較的大きな平面部を有しているため、上面外装部材５０１にのせる保冷剤９００の形状は制限されることが少ない。具体的には、第１の吸気口１１５を塞がなければ、どのような形状の保冷剤９００でも使用することができる。保冷剤９００の温度は、撮影環境の温度より低い温度であれば冷却効果が得られるが、保冷剤９００の温度が低い程、冷却効果は高い。また、上面外装部材５０１は、カメラ１の主要な熱源であるメイン基板４００や撮像素子７０１とは遠い位置にある。そのため、これらの熱が伝わり難く、上面外装部材５０１を手や指等で触れても熱く感じることは少ない。
【００４２】
保冷剤９００を使用した効率の良い冷却方法は、保冷剤９００をのせる上面外装部材５０１と熱源を近い位置で配置し、上面外装部材５０１と熱源を熱伝導部材で接続する方法が一般的には考えられる。しかし、本実施系においては保冷剤９００をのせる上面外装部材５０１と熱源が遠い構成であるにも関わらず、カメラ１では効率良く熱源を冷却できる構成を採用している。この構成を実現するために、カメラ１では、上面外装部材５０１に保冷剤９００をのせることにより吸気した空気を冷却できる構成を採用している。この冷却した空気を第二の流路５７０及び第三の流路５８０に流すことにより、効率良く主要熱源である撮像素子７０１及びメイン基板４００を冷却できる構成となっている。この空気を冷却できる構成に関して詳細に説明する。
【００４３】
図１０及び図１１で示す通り、上面外装部材５０１は、下方向にフィン形状を有している。保冷剤９００に接している面から、保冷剤９００の冷気が上面外装部材５０１に伝わり、さらに上面外装部材５０１のフィン形状の先端まで冷気が伝わる。そのため、吸気された空気が第1の流路５６０を流れる間に、保冷剤９００の冷気が空気に伝わり易い構成となっている。この構成をとることにより、吸気した直後の空気より、第一の流路５６０を通過した空気の温度の方が低くなる。
【００４４】
上面外装部材５０１のフィン形状が設置される距離は長い程、冷気を空気に伝える距離が長くなるため効果的である。そのため、上面外装部材５０１の後端から前端までの全域にわたりフィン形状が設置されている。上面外装部材５０１のフィン形状を通過し温度が低くなった空気を、まず第２の流路５７０に流し、制御素子４０１ａ〜４０１ｉよりも冷却が優先される撮像素子７０１を冷却する。
【００４５】
その後、その空気を第３の流路５８０に流すことにより、制御素子４０１ａ〜４０１ｉを冷却する構成となっている。この構成により、保冷剤９００で効率よく冷却を行うことにより高温環境下でも撮影でき、かつ、上面外装部材５０１の外観面は高温になり難い構成となっている。保冷剤９００の冷気を伝える上面外装部材５０１は、熱伝導性が高い材質で形成されていることが望ましく、本実施形態では、アルミニウム合金等により成形されている。
【００４６】
ところで、上面外装部材５０１のフィンの先端が上面外装部材５０１の固定部５０２に触れてしまうと、カメラ１の内部の熱がフィンに伝わって、フィンの温度が上がってしまう。そうなると、上面外装部材５０１のフィン形状を通過する空気を冷却し難くなってしまう。
【００４７】
そこで、この問題を防ぐために、カメラ１では図１０で示す通り、上面外装部材５０１のフィン形状の先端の空間と上面外装部材５０１の固定部５０２の間に、断熱を目的として断熱部材５１５を設置している。断熱部材５１５は、断熱を行うためにスポンジ状の部材である。上面外装部材５０１のフィン形状の先端と断熱部材５１５は接しており、上面外装部材５０１の固定部５０２と断熱部材５１５は接している。しかし、断熱部材５１５により上面外装部材５０１のフィン形状の先端と断熱部材５１５を接することを防いでいるため、熱は伝わりにくい構成となっている。このように、本実施形態のカメラ１では、第１の流路５６０を通過する空気の冷却効果の低減を防ぐ構成を採用している。
【００４８】
図１１で示すように、上面外装部材５０１には、アクセサリを設置するための複数のねじ挿通穴からなるねじ穴列５１６ａ〜５１６ｃが形成されている。上面外装部材５０１の下側（内部側）には、ねじ穴列５１６ａ〜５１６ｃに挿通されるねじ部材のねじ溝を設けるための下穴リブ形状部５１７ａ〜５１７ｂが形成されている。
【００４９】
従来のビデオカメラでもアクセサリを設置するためにねじ挿通穴が上面外装部材に複数設置されることがあったが、ねじ溝を形成するためのリブ形状部を設置する空間はデッドスペースになってしまっていた。
【００５０】
本実施形態のカメラ１では、下穴リブ形状部５１７ａ〜５１７ｂの間にフィン形状部を設置し、そのスペースを第１の流路５６０として活用している。この構成により、カメラ１のスペースを有効活用することができ、また、下穴リブ形状部５１７ａ〜５１７ｂもフィン形状の効果を有しているため、効果的に空気を冷却することができる。
【００５１】
図１２（ａ）は高温環境下の撮影状態におけるカメラ１を上側前方から見た斜視図、図１２（ｂ）は常温環境下の撮影状態におけるカメラ１を上側前方から見た斜視図である。
【００５２】
高温環境下において保冷剤９００を使用しての冷却には、第１の流路５６０が効果的であるが常温環境下で保冷剤９００を使用しない状態においては第１の流路５６０は効果がなく、余分な通風抵抗を発生させてしまう。
【００５３】
そこで、本実施形態のカメラ１では、図１２で示す通り、第２の吸気口５１９を開閉可能に覆う蓋部材５１８を前方にスライド操作すると、第２の吸気口５１９が露出する。第２の吸気口５１９が露出すると、第２の吸気口５１９からも吸気を行うことができるので、第２の吸気口５１９から吸気された空気を直接、第２の流路５７０に流すことができる。つまり、第２の吸気口５１９が露出した状態では、第１の流路５６０の余分な通風抵抗を発生させなくて済むことができる。
【００５４】
常温環境下では、保冷剤９００を使用せず、第２の吸気口５１９を露出しない状態においても撮影には問題はないが、撮像素子７０１の性質上、撮像素子７０１の温度が低い方がノイズを減らすことができる。そのため、保冷剤９００を使用していないときは、第２の吸気口５１９を露出させた方が良好な画像を得ることができる。
【００５５】
以上説明したように、本実施形態では、カメラ１では上面外装部材５０１が高温にならず、保冷剤９００により効率的に冷却を行うことで高温環境下でも撮影を行うことができる。これにより、汎用の保冷剤９００でカメラ１を効率良く冷却して高温環境下でも撮影をすることができ、かつ外観面を高温にし難いカメラ１を提供することができる。
【００５６】
なお、本発明の構成は、上記実施形態に例示したものに限定されるものではなく、材質、形状、寸法、形態、数、配置箇所等は、本発明の要旨を逸脱しない範囲において適宜変更可能である。
【００５７】
例えば、本実施形態では、保冷剤９００を上面外装部材５０１にのせる措置としたが、保冷剤９００を保持する何らかの保持機構を有しても良い。
【符号の説明】
【００５８】
１  カメラ
１１５  第１の吸気口
１１６  排気口
４００  メイン基板
４０１ａ〜４０１ｉ  制御素子
５００  冷却ユニット
５０１  上面外装部材
５０７  ヒートシンク
７０１  撮像素子
９００  保冷剤
【図１】
2019103032.tif 000003
【図２】
2019103032.tif 000004
【図３】
2019103032.tif 000005
【図４】
2019103032.tif 000006
【図５】
2019103032.tif 000007
【図６】
2019103032.tif 000008
【図７】
2019103032.tif 000009
【図８】
2019103032.tif 000010
【図９】
2019103032.tif 000011
【図１０】
2019103032.tif 000012
【図１１】
2019103032.tif 000013
【図１２】
2019103032.tif 000014